(57)【要約】【課題】  光ファイバを巻回するボビンに着脱可能に取り付けられる保護カバーを改良し、片手での取扱性が良好な保護カバーを提供する。【解決手段】  保護カバー１０は、一端がヒンジ部１１で結合され他端が係止機構１２を介して結合される一対のカバー部材１０Ａ、１０Ｂを有する。係止機構１２は、一方のカバー部材１０Ａに固定された受け部材と、他方のカバー部材１０Ｂに一端が固定され、他端の自由端が受け部材に挿入されて係止される係止部材とから構成される。ヒンジ部が当接した状態で、ヒンジ部１１から見た双方のカバー部材１０Ａ、１０Ｂの係止部の成す角度は、２°〜７°であり、ヒンジ部１１を下にして係止機構１２を外すと、双方のカバー部材１０Ａ、１０Ｂは、弾性力で開く。保護カバー１０は、ボビン１４に取り付けられた状態で、断面が正方形の収容箱２０に収容される。【選択図】図１
2006337669.tif 000002
【特許請求の範囲】
【請求項１】
光ファイバを巻回するボビンに着脱可能であり、該ボビンと協働して光ファイバを保護する、光ファイバの保護カバーにおいて、
それぞれが略半円筒面形状を有し、各一方の縁部がヒンジを介して相互に結合された一対のカバー部材と、
一方のカバー部材に固定される受け部材と、他方のカバー部材に取り付けられ、前記一方のカバー部材の方向に延びて前記受け部材に挿入され且つ係止される係止部材とから成り、前記一対のカバー部材を各他方の縁部で相互に着脱可能に係止する係止機構とを備え、
前記係止部材は、弾性を持つ帯状の部材から成り、前記他方のカバー部材に固定される固定端と、係止用突起を有し該係止用突起と共に前記受け部材に挿入されて前記係止用突起が前記受け部材に係止される自由端と、前記固定端に隣接して配設され前記弾性に抗する押圧力を印加するための押圧部とを有し、該押圧部に印加された押圧力によって、前記自由端が前記係止用突起と共に前記受け部材から引抜き可能となることを特徴とする保護カバー。
【請求項２】
前記係止用突起は、挿入方向で見て先端に向かって厚みが小さくなるテーパー形状を有し、前記一方のカバー部材と他方のカバー部材の相互接近により、前記係止部材の弾性に抗して前記先端が前記受け部材に押圧される、請求項１に記載の保護カバー。
【請求項３】
前記押圧部は、前記係止部材の表面に形成された突起又は刻みとして構成される、請求項１又は２に記載の保護カバー。
【請求項４】
光ファイバを巻回するボビンに着脱可能であり、該ボビンと協働して光ファイバを保護する、光ファイバの保護カバーにおいて、
それぞれが略半円筒面形状を有し、各一方の縁部がヒンジを介して相互に結合された一対のカバー部材と、
一方のカバー部材に固定される受け部材と、他方のカバー部材に取り付けられ、前記一方のカバー部材の方向に延びて前記受け部材に挿入され且つ係止される係止部材とから成り、前記一対のカバー部材を各他方の縁部で相互に着脱可能に係止する係止機構とを備え、
前記一対のカバー部材はそれぞれ、各一方の縁部に隣接して前記カバー部材の回転を阻止する第１の脚部を表面に備え、前記ヒンジは、双方のカバー部材の前記第１の脚部の頂点を通る平面よりも突出しており、
前記ヒンジを最下点として平面上に配置し前記一対のカバー部材を前記係止機構で切り離すと、前記カバー部材の弾性によって前記他方の縁部が相互に離れ、該他方の縁部が前記ヒンジから見た角度で２〜７°離れた角度に開いたときに、前記第１の脚部が前記カバー部材のそれ以上の離間を阻止することを特徴とする保護カバー。
【請求項５】
光ファイバを巻回するボビンに着脱可能であり、該ボビンと協働して光ファイバを保護する、光ファイバの保護カバーにおいて、
それぞれが略半円筒面形状を有し、各一方の縁部がヒンジを介して相互に結合された一対のカバー部材と、
一方のカバー部材に固定される受け部材と、他方のカバー部材に取り付けられ、前記一方のカバー部材の方向に延びて前記受け部材に挿入され且つ係止される係止部材とから成り、前記一対のカバー部材を各他方の縁部で相互に着脱可能に係止する係止機構とを備え、
前記一対のカバー部材のそれぞれは、第１の脚部と、該第１の脚部と対を成す第２の脚部とを表面に備えており、前記一対の保護カバーを前記係止機構で連結したときには、前記一方のカバー部材の前記第１の脚部及び第２の脚部の頂点を通る第１の平面と、前記他方のカバー部材の前記第１の脚部及び第２の脚部の頂点を通る第２の平面とが互いに直交することを特徴とする保護カバー。
【請求項６】
前記係止機構で連結された保護カバーが、断面が該保護カバーの直径に対応する一辺を有する正方形状の収容箱に収容されるときには、前記第１の脚部及び第２の脚部の頂点と、保護カバーの円筒面の４点とが収容箱の内面に接することを特徴とする請求項５に記載の保護カバー。
【発明の詳細な説明】
【技術分野】
【０００１】
本発明は、光ファイバの保護カバーに関し、更に詳しくは、光ファイバを巻回するボビンに着脱可能であり、該ボビンと協働して光ファイバを保護する保護カバーの構造に関する。
【背景技術】
【０００２】
光ファイバは、その製造後にボビンに巻回され、ボビンと該ボビンに着脱可能な保護カバーとによって外部の衝撃から保護される。保護カバーは、一般に、双方が半円筒面形状を有する一対のカバー部材で構成され、双方のカバー部材は、各一方の縁部がヒンジで結合され、各他方の縁部が係止機構によって係止される構造を有する。従来の保護カバーの係止機構としては、非特許文献１に記載されたものが知られている。
【０００３】
図８は、非特許文献１に記載された保護カバーと同様の係止部形状をもつ保護カバー３０の係止機構の構造を示している。保護カバーには、一対の係止機構が配設され、これら係止機構は、保護カバーの円筒面の両側縁部に軸方向に見て整列して配設されている。各係止機構は、カバー部材３０Ａ又は３０Ｂに固定された受け部材３２と、カバー部材３０Ｂ又は３０Ａに固定され、受け部材３２に挿入されて先端の係止用突起３４が係止される係止部材３３とから構成される。双方のカバー部材３０Ａ、３０Ｂの他方の縁部を相互に近づけることで、弾性を有する係止部材３３の先端のくさび状の係止用突起３４が、受け部材３２によって押圧されながら挿入される。更に近づけることで、くさび状の係止用突起３４の後端が、係止部材３３の弾性力によって受け部材３２に係合し、係止部材３３が受け部材３２に係止される。
【０００４】
上記従来の保護カバー３０は、係止機構の取り外しの際には、例えば左手で一方の係止部材３３の先端の突起３４を押しながら、右手で他方の係止部材３３の先端の突起３４を押しつつ、双方のカバー部材を遠ざける動作が必要である。この場合、取り外しに際して両手を使用することから、取り外しの取扱性に難点がある。
【０００５】
特許文献１には、片手で取り外しが可能な保護カバーが記載されている。図９は、同特許文献に記載の保護カバー４０の係止機構を示している。この係止機構は、カバー部材４０Ａ、４０Ｂに形成された受け部材４２及び係止部材４３から構成される。受け部材４２に挿入される係止部材４３は、Ｕ字形に折り曲げた板バネから成るフック部材として形成される。係止部材４３は、係止用突起４４を先端に有する。ヒンジを中心としてカバー部材４０Ａ、４０Ｂを回転させ近づけると、係止部材４３の先端部が係止用突起４４と共に、Ｕ字の弾性力に抗して受け部材４２に挿入される。係止用突起４４が、受け部材４２に係止されることによって、双方のカバー部材４０Ａ、４０Ｂが相互に結合される。
【０００６】
【特許文献１】特開２００１−２３２３号公報
【非特許文献１】Corning Application Note AN04 (issued on 7/'95) 91/4"ABS Rib-Flanged Shipping Spool And K-Resin Spool Cover"
【発明の開示】
【発明が解決しようとする課題】
【０００７】
特許文献１に記載の保護カバー４０は、容易に係止機構の結合を外すことができ、操作性に優れている。しかし、フック部材を採用したことによって、係止機構が把手の取付面から突出する寸法が大きくなる。この場合、取扱者が意図しないときに、フック部材に接触して、係止部材が受け部材から容易に外れるという問題がある。また、これを避けるために、Ｕ字の弾性力を高めると、取り外しの操作が困難になる。
【０００８】
本発明は、上記に鑑み、係止機構の取り外しが容易であると共に、係合機構の取付面からの突出寸法を抑えることで、取扱者が意図しないときには容易に外れない構造を有する保護カバーを提供することを第１の目的とする。
【０００９】
本発明は、また、係止機構を取り外す際に、特に容易な構造を有する保護カバーを提供することを第２の目的とする。
【００１０】
本発明は、また、収容箱に収容する際に、コンパクト化が可能であり、安定して収容できる構造を有する保護カバーを提供することを第３の目的とする。
【課題を解決するための手段】
【００１１】
上記第１の目的を達成するために、本発明の第１の視点に係る保護カバーは、光ファイバを巻回するボビンに着脱可能であり、該ボビンと協働して光ファイバを保護する、光ファイバの保護カバーにおいて、
それぞれが略半円筒面形状を有し、各一方の縁部がヒンジを介して相互に結合された一対のカバー部材と、
一方のカバー部材に固定される受け部材と、他方のカバー部材に取り付けられ、前記一方のカバー部材の方向に延びて前記受け部材に挿入され且つ係止される係止部材とから成り、前記一対のカバー部材を各他方の縁部で相互に着脱可能に係止する係止機構とを備え、
前記係止部材は、弾性を持つ帯状の部材から成り、前記他方のカバー部材に固定される固定端と、係止用突起を有し該係止用突起と共に前記受け部材に挿入されて前記係止用突起が前記受け部材に係止される自由端と、前記固定端に隣接して配設され前記弾性に抗する押圧力を印加するための押圧部とを有し、該押圧部に印加された押圧力によって、前記自由端が前記係止用突起と共に前記受け部材から引抜き可能となることを特徴とする。
【００１２】
また、上記第２の目的を達成するために、本発明の第２の視点に係る保護カバーは、光ファイバを巻回するボビンに着脱可能であり、該ボビンと協働して光ファイバを保護する、光ファイバの保護カバーにおいて、
それぞれが略半円筒面形状を有し、各一方の縁部がヒンジを介して相互に結合された一対のカバー部材と、
一方のカバー部材に固定される受け部材と、他方のカバー部材に取り付けられ、前記一方のカバー部材の方向に延びて前記受け部材に挿入され且つ係止される係止部材とから成り、前記一対のカバー部材を各他方の縁部で相互に着脱可能に係止する係止機構とを備え、
前記一対のカバー部材はそれぞれ、各一方の縁部に隣接して前記カバー部材の回転を阻止する第１の脚部を表面に備え、前記ヒンジは、双方のカバー部材の前記第１の脚部の頂点を通る平面よりも突出しており、前記ヒンジが当接した状態で、前記他方の縁部が前記ヒンジから見た角度で２〜７°離れた角度に開いていることを特徴とする。
【００１３】
また、上記第３の目的を達成するために、本発明の第３の視点に係る保護カバーは、光ファイバを巻回するボビンに着脱可能であり、該ボビンと協働して光ファイバを保護する、光ファイバの保護カバーにおいて、
それぞれが略半円筒面形状を有し、各一方の縁部がヒンジを介して相互に結合された一対のカバー部材と、
一方のカバー部材に固定される受け部材と、他方のカバー部材に取り付けられ、前記一方のカバー部材の方向に延びて前記受け部材に挿入され且つ係止される係止部材とから成り、前記一対のカバー部材を各他方の縁部で相互に着脱可能に係止する係止機構とを備え、
前記一対のカバー部材のそれぞれは、第１の脚部と、該第１の脚部と対を成す第２の脚部とを表面に備えており、前記一対の保護カバーを前記係止機構で連結したときには、前記一方のカバー部材の前記第１の脚部及び第２の脚部の頂点を通る第１の平面と、前記他方のカバー部材の前記第１の脚部及び第２の脚部の頂点を通る第２の平面とが互いに直交することを特徴とする。
【発明の効果】
【００１４】
本発明の第１の視点に係る保護カバーによると、係止部材の固定端に隣接して押圧部を配設した構造により、係止機構の取り外しが容易であると共に、係止部材を平面的な構造にできるので、係止機構の取付面からの突出寸法が小さく抑えられ、取扱者が意図しないときには容易に外れない構造が得られる。
【００１５】
また、本発明の第２の視点に係る保護カバーによると、単に係止部材と受け部材との係止を外すことで、カバー部材が開放し、所望の位置で停止するので、保護カバーを外す処理が特に容易になる。
【００１６】
また、本発明の第３の視点に係る保護カバーによると、収容箱に収容する際に、コンパクト化が可能であり、安定して収容できる。
【発明を実施するための最良の形態】
【００１７】
以下、図面を参照し、本発明の実施形態を説明する。図１は、本発明の一実施形態に係る保護カバーをボビンと共に示す側面図であり、破線で示す収容箱に収容された状態でこれらを示している。保護カバー１０を収容する収容箱２０は、図示したように、断面が正方形状で且つ奥行きが保護カバー１０の奥行きよりもやや大きな箱体である。保護カバー１０は、それぞれが半円筒面形状を有する一対のカバー部材１０Ａ、１０Ｂから成り、双方のカバー部材１０Ａ、１０Ｂが、ヒンジ部１１と係止機構１２を有する持ち手部１３とで結合されて略円筒面形状を有する。保護カバー１０は、光ファイバを巻回した、円筒ドラム形状を有するボビン１４の外周面を覆っている。
【００１８】
カバー部材１０Ａ、１０Ｂを相互に結合するヒンジ部１１及び持ち手部１３は、収容箱２０の断面で見て正方形の対向する一対の頂角にそれぞれ隣接し収容箱２０内に収容されている。各カバー部材１０Ａ、１０Ｂの円筒面には、ヒンジ部１１に隣接して“脚”と呼ばれる一対の脚部１５、１６が形成されており、この一対の脚部１５、１６及びこれら脚部１５、１６から等距離にある円筒面部分が、正方形の１つの辺の中央部分で収容箱２０の内面に接している。また、脚部を有しない円筒面部分では、正方形の一辺の中心部で保護カバー１０の円筒面が接している。
このようにすることで、収容箱に収容する際に、収容箱をコンパクトにすることができる。また、収容箱を積み上げたときにも収容箱にかかる重力を分散でき、収容箱の変形を小さくできる。
【００１９】
ボビン１４は、例えば直径が２６６ｍｍであり、保護カバー１０の円筒面の外径は２７０．５ｍｍである。従って、この保護カバー１０を収容できる収容箱２０の最小の大きさは、正方形の一辺が２７０．５ｍｍのものとなる。各カバー部材１０Ａ、１０Ｂの一対の脚部１５、１６の内、ヒンジ部１１に近い側の脚部１５は、後述するように、テーブル上に置いたときに最も取扱いが容易になる位置に配置している。また、ヒンジ部１１から遠い脚部１６は、ヒンジ部１１に近い対となる脚部１５との位置関係が、テーブル上に置く際に最も安定となるように配置する。
【００２０】
双方の脚部１５、１６は、ボビン１４を覆う保護カバー１０をテーブル上に置く際に、脚部１５、１６および双方の脚部１５、１６の中央部の円筒面がテーブル表面にほぼ接することになるような位置及び高さに設定している。一実施例では、ヒンジ部１１に近い脚部１５は、ボビン１４の中心から見た角度でヒンジ部から２５．７°の角度位置とし、ヒンジ部１１から遠い脚部１６の位置は、ボビン１４の中心から見た角度でヒンジ部１１から６４．５°の角度位置とし、且つ、双方の脚部の円筒面からの高さを８ｍｍとした。
【００２１】
図２は、図１に示した保護カバー１０の持ち手部１３の付近を斜視図で示している。持ち手部１３は、カバー部材１０Ａ、１０Ｂのそれぞれに取り付けられ、保護カバー１０の半径方向外側から見るとコの字形状を有する一対の把手２１と、各把手２１に取り付けられた係止機構１２とから成る。各把手２１を円筒面の軸方向に見ると、各把手２１におけるコの字形状の相互に対向する面は、双方のカバー部材１０Ａ、１０Ｂの境界部から遠ざかる方向に狭くなる略三角形状を有する。
【００２２】
各係止機構１２は、一方のカバー部材１０Ａの把手２１に固定された受け部材２２と、他方のカバー部材１０Ｂの把手２１に一端が固定され、自由端が受け部材２２に挿入され且つ係止される係止部材２３とから構成される。受け部材２２は、係止部材２３の挿入及び引抜き方向に開放する角筒状の薄板で形成される。係止部材２３は、全体として帯状片の形状及び弾性を有する本体部分と、本体部分からＬ字状に折れ曲がって把手に固定される固定端と、くさび状の係止用突起２４が取り付けられた自由端とを有する。本体部分には、更に固定端に隣接して押し込み台２５が形成されている。
【００２３】
図３は、図２に示した係止機構について、係止部材２３を受け部材２２によって係止する際の係止前及び係止後の各状態を示すもので、同図（ａ）は、円筒面の軸方向に見た側面図、同図（ｂ）は、円筒面の半径方向外側から見た上面図である。双方のカバー部材１０Ａ、１０Ｂを係止する前の状態では、同図（ｂ）に示すように、係止部材２３の本体部分は、固定端から自由端に向かって、把手２１の取付面から離れる方向に延びている。双方のカバー部材１０Ａ、１０Ｂを近づけると、係止部材２３の自由端に取り付けられた係止用突起２４の先端が、まず受け部材２２の開放部分に挿入され、カバー部材１０Ａ、１０Ｂの更なる接近に従い、受け部材２２が係止用突起２４のテーパー部に対して取付面方向に向かう押圧力を及ぼす。この押圧力により、係止部材２３の本体部分が取付面の方向に押され、本体部分と取付面とがほぼ平行になる。挿入が進むと、自由端の係止用突起２４が受け部材２２を通過し、係止用突起２４の後端が受け部材２２に係止される。これによって、双方のカバー部材１０Ａ、１０Ｂは、しっかりと結合される。
【００２４】
保護カバー１０を、ボビンから取り外す際には、片方の手指で双方の係止部材２３の押し込み台２５を挟むようにして取付面側に押すと、受け部材２２による係止用突起２４への係止が解除される。本実施形態では、押し込み台２５は、円筒面の軸方向に整列して配置されるので、片手による押圧が容易である。係止用突起２４の係止が解除されると、双方のカバー部材１０Ａ、１０Ｂは、カバー部材自体の弾性力及び自重によって、相互に遠ざかる方向に回転し、係止部材２３が受け部材２２から引き抜かれる。このように、保護カバー１０の取り外しが、単に片手での係止解除によって可能となるので、保護カバー１０の取扱性が向上する。
【００２５】
図４は、上記実施形態の変形例の係止機構の構造を示す、円筒面の軸方向から見た側面図である。本変形例の係止機構１２Ａでは、図２の実施形態における係止部材２３の押し込み台２５の形成に代えて、本体部分の外側表面に滑り止めの刻み２６を入れている。刻み２６は、保護カバー１０の取り外しに際して、弾性力に抗して係止部材２３の本体部分に押圧力を与える際に、本体部分の表面で手指が滑ることを防止している。つまり、刻み２６の機能は、押し込み台２５の機能とほぼ同様であり、これより構造が簡素であるという利点を有する。
【００２６】
図５は、別の変形例の係止機構の構造を、図３の係止前の状態と同様に示している。本変形例の係止機構１２Ｂでは、係止部材２３が、係止部材２３の固定端における取付面からの突出距離が、本体部分に形成された押し込み台２５の突出距離よりも大きくなるように、固定端の近傍で湾曲部２７を形成している。本変形例では、この湾曲部２７を形成することにより、係止解除の際の係止部材２３の本体部分に押圧力を軽減している。
【００２７】
図６は、図１に示した保護カバーのヒンジ部及び脚部と係止部との関係を示している。前述の通り、各カバー部材１０Ａ、１０Ｂには、ヒンジ部１１に隣接して一対の脚部１５、１６が形成されている。各脚部１５、１６は、円筒面の軸方向に離れた２点の点状突起として構成される。なお、これに限らず、例えば円筒面の軸方向に延びる棒状の脚部としてもよい。双方のカバー部材１０Ａ、１０Ｂを、係止部を有する持ち手部１３の位置で結合する際には、片手で双方の把手２１の軸方向と平行な面を合わせるようにカバー部材１０Ａ、１０Ｂを近づける。
【００２８】
このとき、双方のカバー部材１０Ａ、１０Ｂの把手２１の前面が合わさる前に、ヒンジ部１１におけるカバー部材１０Ａ、１０Ｂの縁部の端面がまず当接する。この状態で、ヒンジ部１１から見た双方のカバー部材１０Ａ、１０Ｂの係止部の成す角度は、２°〜７°である。この角度が２°よりも小さいと、保護カバーの取り外しに際して、カバー部材を回転させるための外力が更に必要になる。また、この角度が７°よりも大きく、例えば、１０°程度になると、双方の把手２１が離れすぎ、双方のカバー部材を係止する際に片手で取り扱うことが困難である。一実施例では、ヒンジ部１１に近い脚部１５は、ボビン中心から見た角度で２５．７°の角度位置とし、且つ、これによって、持ち手部１３の開放角度が５°となるようにした。
【００２９】
双方のカバー部材１０Ａ、１０Ｂは、カバー部材１０Ａ、１０Ｂが持つ弾性力に抗して僅かな力を更に加えることにより、係止部材２３が受け部材２２に挿入され、係止される。保護カバー１０をボビンから取り外す際には、ヒンジ部１１における弾性力のため、単に係止部材２３と受け部材２２との係止を外すことにより、外力を加えることなく双方のカバー部材１０Ａ、１０Ｂが開放する。双方のカバー部材１０Ａ、１０Ｂは、弾性力によって相互から開放されると、弾性力及び自重によって更に遠ざかる。
【００３０】
図７（ａ）及び（ｂ）はそれぞれ、図６において“Ａ”で示したヒンジ部１１近傍の構造を、ヒンジを一杯に開放した状態、及び、ヒンジを閉じた状態でそれぞれ詳細に示している。図６に示すように、ヒンジ部１１は、カバー部材１０Ａ、１０Ｂで形成される円筒面よりも外側に突出して形成されており、例えば、保護カバー１０を閉じた状態で、把手２１を上にしてテーブル等に置いた場合には、ヒンジ部１１が先にテーブルにあたるように脚部１５の大きさを選定してある。また、図７（ｂ）に示すように、保護カバーを閉じていくときには、カバー部材１０Ａ、１０Ｂの表面が接触する前に、ヒンジの後端部分が先に当接するようにすることで、双方のカバー部材１０Ａ、１０Ｂを開放する際の弾性力を生じさせている。
【００３１】
上記構成を採用したことにより、例えば、ボビンに装着した保護カバーをテーブル上に保管する場合には、一対の脚部１５、１６で安定させて置くことができ、その後、保護カバーを開く際には、保護カバーを幾らか回転させ、ヒンジを下にして、係止部を開放する。本実施形態の保護カバーは、片手での操作性に特に優れている。
【００３２】
以上、本発明をその好適な実施態様に基づいて説明したが、本発明の保護カバーは、上記実施態様の構成にのみ限定されるものではなく、上記実施態様の構成から種々の修正及び変更を施したものも、本発明の範囲に含まれる。また、本発明の好適な態様として記載した各構成や実施形態で記載した各構成については、本発明の必須の構成と共に用いることが好ましいが、単独であっても有益な効果を奏する構成については、必ずしも本発明の必須の構成として説明した全ての構成と共に用いる必要はない。
【図面の簡単な説明】
【００３３】
【図１】本発明の一実施形態に掛かる保護カバーをボビンと共に収容箱に収容した状態で示す側面図。
【図２】図１の保護カバーにおける持ち手部付近を示す斜視図。
【図３】図２に示した係止機構の係止前及び係止後の状態を示すもので、（ａ）及び（ｂ）はそれぞれ、各状態を示す側面図及び上面図。
【図４】図２の係止機構の変形例を示す側面図。
【図５】（ａ）及び（ｂ）はそれぞれ、図２の係止機構の別の変形例を示す側面図及び上面図。
【図６】図１の実施形態の保護カバーを、係止機構の係止を外した直後の状態で示す側面図。
【図７】（ａ）及び（ｂ）はそれぞれ、ヒンジを開いた状態及び閉じた状態でヒンジ近傍の構造を示す側面図。
【図８】非特許文献１に記載された従来の保護カバーの係止機構を示す斜視図。
【図９】特許文献１に記載された従来の保護カバーの係止機構を示す斜視図。
【符号の説明】
【００３４】
１０：保護カバー
１０Ａ、１０Ｂ：カバー部材
１１：ヒンジ部
１２：係止機構
１３：持ち手部
１４：ボビン
１５、１６：脚部
２１：把手
２２：受け部材
２３：係止部材
２４：係止用突起
２５：押し込み台
２６：刻み
２７：湾曲部
３０：保護カバー
３０Ａ、３０Ｂ：カバー部材
３２：受け部材
３３：係止部材
３４：係止用突起
４０：保護カバー
４０Ａ、４０Ｂ：カバー部材
４２：受け部材
４３：係止部材
４４：係止用突起
【図１】
2006337669.tif 000003
【図２】
2006337669.tif 000004
【図３】
2006337669.tif 000005
【図４】
2006337669.tif 000006
【図５】
2006337669.tif 000007
【図６】
2006337669.tif 000008
【図７】
2006337669.tif 000009
【図８】
2006337669.tif 000010
【図９】
2006337669.tif 000011